(57)【要約】【課題】 本発明は、遊技機に使用され、外観の意匠性を向上させることができる遊技機用サインプレートの提供を目的とする。【解決手段】遊技機に使用される合成樹脂製の遊技機用サインプレートである。例えば、表面に遊技機に関する情報が印刷される本体部１０と、該本体部１０の端部に一体的に設けられた差込部２０とからなる。本体部１０または／および差込部２０が立体的な文字、数字、記号、図形などを象った態様で、表面に垂直な方向に湾曲している。【選択図】図１
2011092239.tif 000002
【特許請求の範囲】
【請求項１】
遊技機や収容箱に使用される合成樹脂素材からなる遊技機用サインプレートであって、
表面に前記遊技機や遊技店などに関する情報または装飾が印刷されるとともに、立体的な文字、数字、記号、図形などを象った態様で、表面に垂直な方向に湾曲していることを特徴とする遊技機用サインプレート。
【請求項２】
前記立体的な文字、数字、記号、図形などを象った部分以外の平坦な部分が、立体的な複数の円形状または線状などの凸部が形成される態様で、表面に垂直な方向に湾曲している請求項１に記載の遊技機用サインプレート。
【請求項３】
立体的な線状の凸部が周縁部に沿って形成される態様で、表面に垂直な方向に湾曲している請求項１または請求項２に記載の遊技機用サインプレート。
【請求項４】
表面に前記遊技機に関する情報が印刷される本体部と、該本体部の端部に一体的に設けられた差込部とからなり、該差込部は一ないし複数の立体的な線状の凸部が差込方向に沿って形成される態様で、表面に垂直な方向に湾曲している請求項１から請求項３のいずれかに記載の遊技機用サインプレート。
【請求項５】
請求項１から請求項４のいずれかに記載の２枚の遊技機用プレートからなり、各遊技機用プレートが立体的な表面を外側に向ける態様で重ねた状態で貼り付けられていることを特徴とする遊技機用サインプレート。
【発明の詳細な説明】
【技術分野】
【０００１】
本発明は、パチンコ機やスロット機などの遊技機や収容箱に使用され、遊技機や遊技店などに関する情報または装飾が印刷された遊技機用サインプレートに関する。
【背景技術】
【０００２】
従来、パチンコ機やスロット機などを興じる遊技店では、遊技機が大当たりした状態を表示するために、当該大当たりした状態が印刷されたサインプレートを遊技機の上部付近に差し込んで取り付けることが行われている。
【０００３】
また、様々な種類の遊技機の登場も相俟って、遊技機の上部に設けられる幕板にも、遊技機の種類に関する情報が印刷されたサインプレートが使用されたりする。
【０００４】
さらに、遊技機に止まらず、パチンコ球やコインなどを収容する遊技機用の収容箱（通称、ドル箱）にも上記サインプレートを差し込むことも行われている。
【０００５】
これにより遊技者の興趣を向上させるほか、回りの遊技者や遊技店の外を歩く者にもアピールすることができる。
【０００６】
このサインプレートは、一般にＰＥＴ、塩化ビニル、ポリカなどの合成樹脂素材から形成されている。より具体的には、射出成形や真空成形などの成形方法により合成樹脂素材からなる円形や矩形などの板状のサインプレートを形成し、そのサインプレートの表面に遊技機や遊技店などに関する情報または装飾を印刷したあと、当該印刷した表面に透明の保護シートを貼り付けている。
【０００７】
なお、従来、サインプレートについて工夫したものとしては、特許文献１，２が知られている。
【先行技術文献】
【特許文献】
【０００８】
【特許文献１】特開平１０−５２２２６号公報
【特許文献２】特開２０５−２６１６６８号公報
【発明の概要】
【発明が解決しようとする課題】
【０００９】
しかしながら、従来のサインプレートは表面がフラットになるように形成されているため、外観の意匠性が高いものではなかった。
【００１０】
本発明は、上述の問題に鑑みてなされたものであって、外観の意匠性を向上することができる遊技機用サインプレートの提供を目的とする。
【課題を解決するための手段】
【００１１】
本発明は、上記目的を達成するために、遊技機や収容箱に使用される合成樹脂素材からなる遊技機用サインプレートであって、表面に前記遊技機や遊技店などに関する情報または装飾が印刷されるとともに、立体的な文字、数字、記号、図形などを象った態様で、表面に垂直な方向に湾曲していることを特徴とする。これによればサインププレートを表面に垂直な方向に湾曲させることにより、従来のフラットなサインプレートに比べて、外観の意匠性を向上することができる。
【００１２】
また、前記立体的な文字、数字、記号、図形などを象った部分以外の平坦な部分が、立体的な複数の円形状または線状などの凸部が形成される態様で、表面に垂直な方向に湾曲している。これによればサインプレートを立体的な文字、数字、記号、図形などを象った態様で、表面を垂直な方向に湾曲させた際に、当該立体的な文字、数字、記号、図形などを象った部分以外の平坦な部分が不用意に波打って変形することを軽減することができる。しかも、当該立体的な複数の円形状または線状などの凸部自体により外観の意匠性を向上させることができる。
【００１３】
また、立体的な線状の凸部が周縁部に沿って形成される態様で、表面に垂直な方向に湾曲している。これによれば特に不用意に波打つ変形が生じやすい周縁部における変形の軽減を図ることができる。
【００１４】
また、表面に前記遊技機や遊技店などに関する情報または装飾が印刷される本体部と、該本体部の端部に一体的に設けられた差込部とからなり、該差込部は一ないし複数の立体的な線状の凸部が差込方向に沿って形成される態様で、表面に垂直な方向に湾曲している。これによればサインプレートを遊技機用の収容箱に差し込む場合、当該凸部が収容箱内のパチンコ球などの障害とならずに、スムーズに差し込み易くなる。
【００１５】
また、本発明に係る他の遊技機用サインプレートは、請求項１から請求項４に記載の２枚の遊技機用プレートからなり、各遊技機用プレートが立体的な表面を外側に向ける態様で重ねた状態で貼り付けられていることを特徴とする。これによれば本プレートに生じたわずかな不用意な変形も是正することができる。しかも、正面側および背面側のいずれ方向からも表面側に突出するように立体的に形成されているために、外観の意匠性がより一層向上することができる。
【発明の効果】
【００１６】
本発明によれば、サインププレートを表面に垂直な方向に湾曲させることにより、従来のフラットなサインプレートに比べて、外観の意匠性を向上することができる。このため遊技者の興趣をより一層高揚させることができるとともに、店舗外を歩く者に対してもより一層アピールすることが可能となる。
【図面の簡単な説明】
【００１７】
【図１】第１の実施形態に係る本プレートの正面図である。
【図２】本プレートのII−II線断面図である。
【図３】本プレートの拡大断面図である。
【図４】第２の実施形態に係る本プレートの正面図である。
【図５】本プレートのV−V線断面図である。
【図６】本プレートのVI−VI線断面図である。
【図７】本プレートを収容箱に収容して立て掛けた状態を示す斜視図である。
【図８】本プレートを収容箱に収容して立て掛けた状態を示す断面図である。
【図９】第３の実施形態に係る本プレートの正面図とβ−β線断面図である。
【図１０】第４の実施形態に係る本プレートの正面図である。
【図１１】本プレートの背面図である。
【図１２】本プレートの上面図である。
【図１３】本プレートのXIII−XIII線断面図である。
【図１４】本プレートのXIV−XIV線断面図である。
【発明を実施するための形態】
【００１８】
＜第１実施形態＞
次に本発明に係る第１の実施形態について図１〜図３を参照しつつ説明する。
【００１９】
図１は、第１の実施形態に係る遊技機用サインプレート（以下、本プレートという）の正面図、図２は本プレートの図１におけるII−II線断面図、図３は本プレートの拡大断面図である。
【００２０】
本プレートは、遊技機に使用される収容箱に差し込むものであって、例えばＰＥＴ（ポリエチレンテレフタレート）、塩化ビニル、あるいはポリカ（ポリカーボネート）などの合成樹脂素材からなる板材である。特に合成樹脂素材であれば素材が限定されるものではないが、製造コストなどを考慮すれば塩化ビニル（例えば硬質塩化ビニル、軟質塩化ビニル）やＰＥＴ（例えば無鉛遠心ＰＥＴ）が好ましい。
【００２１】
また、本プレートは、図１に示すように、上部に位置する本体部１０と、該本体部１０の下端部に一体的に設けられた差込部２０とから構成される。
【００２２】
前記本体部１０は、図１に示すように、外形が正面から見て炎が燃え上がる態様の形状に形成されるとともに、表面には遊技機や遊技店などに関する情報または装飾が印刷される。
【００２３】
また、図２に示すように、表面に印刷される情報に合わせて、全体として立体的な図形を象った態様で全体として表面に垂直な方向に湾曲している。なお、垂直な方向とは完全に９０度の方向のみを意味するものではなく、表面と交わる方向を意味するものである。
【００２４】
前記差込部２０は、図１に示すように、正面から見て矩形状に形成されているが、本体部１０のように特に湾曲しておらず、表面がほぼフラットな状態に形成されている。この差込部２０は、パチンコ球等が収容された収容箱に差し込まれることにより、収容箱内において立て掛けられる。
【００２５】
本プレートの製造に際しては、本プレートの元となる合成樹脂素材の原板の表面に対して、遊技機や遊技店などに関する情報または装飾をスクリーン印刷等により印刷する。そして、当該印刷の位置を考慮しながら、真空成形や射出成形などの成形法により本プレートを表面に垂直な方向に湾曲させる。そして、図３に示すように、本プレートの印刷面３０に透明の保護シートやニスびき等による保護層４０を設けることにより印刷面３０を保護する。なお、製造工程の順序はこれに限定されるものではなく、成形後に印刷を施すものであってもよい。
【００２６】
このように本プレートを立体的な図形を象った態様で、表面に垂直な方向に湾曲させることにより、従来のフラットなサインプレートに比べて、外観の意匠性を向上することができる。
【００２７】
このため遊技者の興趣をより一層高揚させることができるとともに、店舗外を歩く者に対してもより一層アピールすることができる。
【００２８】
＜第２実施形態＞
次に本発明に係る第２の実施形態について図４〜図６を参照しつつ説明する。
【００２９】
図４は第２の実施形態に係る本プレートの正面図、図５は本プレートの図４におけるV−V線断面図、図６は本プレートの図４におけるVI−VI線断面図である。
【００３０】
本プレートは、図４に示すように、上部に位置する本体部１１と、該本体部１１の下端部に一体的に設けられた差込部２１とから構成され、全体として外形が逆台形状となるように本体部１１と差込部２１が連続して一体的に形成されている。
【００３１】
前記本体部１１は、図４および図５に示すように、上部に立体的な数字の「７」の形状１１０を象った態様で表面に垂直な方向に湾曲している。また、中央部に立体的な英文字の「Ｍ」の形状１１１を象った態様で、表面に垂直な方向に湾曲している。そして、本体部１１の表面（特に数字の「７」の形状１１０、英文字の「Ｍ」の形状１１１）には遊技機や遊技店などに関する情報または装飾が印刷されている。
【００３２】
このように本プレートを立体的な数字の「７」の形状１１０と英文字の「Ｍ」の形状１１１を象った態様で、表面に垂直な方向に湾曲させることにより、従来のフラットなサインプレートに比べて、外観の意匠性を向上することができる。
【００３３】
また、前記差込部２１は、図４および図６に示すように、立体的な３筋の線状の凸部２１０が差込方向に沿って形成される態様で、表面に垂直な方向に湾曲している。この差込部２１は、図７および図８に示すように、パチンコ球等が一般に収容された収容箱Ｂにおいて、収容箱Ｂの側壁とパチンコ球Ｐの集合体との間に差し込まれることにより、収容箱Ｂ内において立て掛けられる。特に本実施形態では立体的な線状の凸部２１０を差込方向に形成しているため、差込時において当該凸部２１０がパチンコ球Ｐの障害とならずに、スムーズに差し込み易くなる。なお、本プレートの収容箱Ｂの差込方法については、これに限定されるものではなく、例えばパチンコ球Ｐの集合体Ｐ内に直接差し込んでもよい。
【００３４】
さらに、前記本体部１１と前記差込部２１は、立体的な線状の凸部１１２が周縁部に沿って形成される態様で表面に垂直な方向に湾曲しており、これにより特に波打つ変形が生じやすい周縁部における変形の軽減を図っている。
【００３５】
＜第３実施形態＞
次に本発明に係る第３の実施形態について図９を参照しつつ説明する。
【００３６】
図９は第３の実施形態に係る本プレートの（ａ）正面図と（ｂ）β−β線断面図である。
【００３７】
本プレートは、図９に示すように、第２の実施形態に係る本プレートと同じようなプレートにおいて、表面に複数の立体的な線状の凸部１１３を９０度の交差角度で交互に配置するように全面に亘って形成する態様で、表面に垂直な方向に湾曲させている。
【００３８】
一般にサインプレートを立体的な文字、数字、記号、図形などを象った態様で（本実施形態では数字の「７」の形状１１０と英文字「Ｍ］の形状１１１」）、表面を垂直な方向に湾曲させた際に、当該立体的な文字、数字、記号、図形などを象った部分以外の平坦な部分が不用意に波打って変形する場合がある。
ここで立体的な複数の円形状または線状などの凸部が形成される態様で（本実施形態では、表面に複数の立体的な線状の凸部１１３を９０度の交差角度で交互に配置するように全面に亘って形成する態様）、表面に垂直な方向に湾曲させると、その不用意に波打つ変形を軽減することができる。これは、本プレートに立体的な文字、数字、記号、図形などを象った態様で、表面に垂直な方向に湾曲させたときに生じる応力が適度に分散するためであると考えられる。
【００３９】
しかも、当該立体的な複数の円形状または線状などの凸部１１３自体により外観の意匠性を向上させることができる。
【００４０】
＜第４実施形態＞
次に本発明に係る第４の実施形態について図１０〜図１３を参照しつつ説明する。
【００４１】
図１０は第４の実施形態に係る本プレートの正面図、図１１は本プレートの背面図、図１２は本プレートの上面図、図１３は本プレートの図１０におけるXIII−XIII線断面図、図１４は本プレートの図１０におけるXIV−XIV線断面図である。
【００４２】
本プレートは、同形同大の第１プレート１と第２プレート２とから構成され、図１２に示すように第１プレート１と第２プレート２とが立体的な表面を外側に向け、かつ周縁部が一致するように重ね合わせた状態に貼り付けられている。
【００４３】
これら第１プレート１および第２プレート２は、いずれも上部に位置する本体部１２，１３と、該本体部１２，１３の下端部に一体的に設けられた差込部２２，２３とから構成される。
【００４４】
第１プレート１の本体部１２は、図１０に示すように、上部に立体的な英文字の「Ｍ」の形状１２１を象った態様で、表面に垂直な方向に湾曲している。
【００４５】
第２プレート２の本体部１３は、図１１に示すように、上部に立体的な数字の「７」の形状１３１を象った態様で、表面に垂直な方向に湾曲している。
【００４６】
また、第１プレート１および第２プレート２の本体部１２，１３は、いずれも表面に複数の立体的な円形の凸部１２２，１３２が全面に亘って形成される態様で、表面に垂直な方向に湾曲している。特に本実施形態では、外観の意匠性の関係上、周縁部から中心部に向かって徐々に直径が小さくなる円形の凸部１２２，１２３としている。
【００４７】
また、第１プレート１および第２プレート２の本体部１２，１３は、いずれも表面に立体的な線状の凸部１２３，１３３が周縁部に亘って形成される態様で、表面に垂直な方向に湾曲している。
【００４８】
さらに、第１プレート１および第２プレート２の差込部２２，２３は、図１３に示すように、いずれも立体的な線状の凸部２２１，２３１が両側部に沿って形成される態様で、表面に垂直な方向に湾曲している。これにより不用意な波打つ変形を軽減するのはもとより、差込部を遊技機の差込口（図示略）に差し込む際に当該凸部２２１，２３１が抜け防止のストッパーの機能を果たすことができる。
【００４９】
このように本プレートを第１プレート１と第２プレート２とから構成し、それらを重ね合わせた状態で貼り付けることにより、本プレートに生じたわずかな不用意な波打つ変形も是正することができる。しかも、正面側および背面側のいずれ方向からも表面側に突出するように立体的に形成されているために、外観の意匠性がより一層向上することができる。
なお、以上のいずれの実施形態においても、外形や、象る文字・数字・記号・図形などや、凸部については上述の形状や大きさに限定されるものではない。
また、主に遊技機や収容箱に取り付けるサインプレートについて説明したが、遊技機の上部に設けられる幕板など、その他の部分にも適用可能である。要は、遊技機において何らか遊技機や遊技店などに関する情報または装飾の印刷が施され、サインプレートとして機能するもの全般に適用可能である。
【符号の説明】
【００５０】
１０・・・本体部
２０・・・差込部
３０・・・印刷面
４０・・・保護層
【図１】
2011092239.tif 000003
【図２】
2011092239.tif 000004
【図３】
2011092239.tif 000005
【図４】
2011092239.tif 000006
【図５】
2011092239.tif 000007
【図６】
2011092239.tif 000008
【図７】
2011092239.tif 000009
【図８】
2011092239.tif 000010
【図９】
2011092239.tif 000011
【図１０】
2011092239.tif 000012
【図１１】
2011092239.tif 000013
【図１２】
2011092239.tif 000014
【図１３】
2011092239.tif 000015
【図１４】
2011092239.tif 000016